(57)【要約】  基地局（１０）においてパターン決定部（２０）は、基地局（１０）に接続中の端末（７０）に対して用いる非割当対象リソースパターンとして、第１のパターンと第２のパターンとの中から、基地局（１０）と基地局（３０）との距離に応じたパターンを選択する。上記の第１のパターンとは、基地局（５０）で用いられている非割当対象リソースパターンである。また、上記の第２のパターンとは、第１のパターンとの間で非割当対象リソースが重ならないパターンである。
2015022735.tif 000002
【特許請求の範囲】
【請求項１】
第１のセルに対応する第１の基地局と、前記第１のセルを規定する第１のエリア内に存在し且つ前記第１のエリアよりも小さい第２のエリアによって規定される第２のセルに対応する第２の基地局と、前記第１のセルを規定する第１のエリア内に存在し且つ前記第２のエリアよりも小さい第３のエリアによって規定される第３のセルに対応する第３の基地局とを具備する通信システムにおける、前記第３の基地局であって、
前記第１の基地局が前記第１の基地局と接続中の端末に対して割り当てない非割当リソースの第１のパターンに関する情報を取得する取得部と、
自局に接続中の端末に対して用いる非割当リソースのパターンとして、前記第１のパターンと、前記第１のパターンとの間で非割当リソースが重ならない第２のパターンとの中から、自局と前記第２の基地局との距離に応じたパターンを選択する選択部と、
を具備することを特徴とする基地局。
【請求項２】
前記第２のエリアは、第１の部分エリアと前記第１の部分エリアよりも前記第２の基地局との距離が遠い第２の部分エリアとを含み、
受信電力に基づいて、自局が前記第２の部分エリアに存在するか否かを判定する判定部をさらに具備し、
前記選択部は、自局が前記第２の部分エリアに存在する場合、前記第１のパターンを選択し、自局が前記第２の部分エリア以外のエリアに存在する場合、前記第２のパターンを選択する、
ことを特徴とする請求項１に記載の基地局。
【請求項３】
前記取得部は、サブフレーム毎の下り回線受信電力に基づいて、非割当対象サブフレームと割当対象サブフレームとを含む、前記第１の基地局における前記第１のパターンを推定し、
前記判定部は、前記推定した第１のパターンの割当対象サブフレームから所定サブフレーム数だけ後のサブフレームにおける上り回線受信電力と、前記推定した第１のパターンの非割当対象サブフレームから前記所定サブフレーム数だけ後のサブフレームにおける上り回線受信電力との比較結果に基づいて、自局が前記第２の部分エリアに存在するか否かを判定する、
ことを特徴とする請求項２に記載の基地局。
【請求項４】
前記第２の部分エリアと前記第２の部分エリア以外のエリアとの判別に用いる受信電力閾値に関する情報を要求する要求信号を前記第２の基地局へ送信する送信部を、さらに具備することを特徴とする請求項２に記載の基地局。
【請求項５】
第１のセルに対応する第１の基地局と、前記第１のセルを規定する第１のエリア内に存在し且つ前記第１のエリアよりも小さい第２のエリアによって規定される第２のセルに対応する第２の基地局と、前記第１のセルを規定する第１のエリア内に存在し且つ前記第２のエリアよりも小さい第３のエリアによって規定される第３のセルに対応する第３の基地局とを具備する通信システムにおける、前記第２の基地局であって、
参照信号を送信する送信部と、
前記第１の基地局が前記第１の基地局と接続中の端末に対して割り当てない非割当リソースの第１のパターンにおける前記非割当リソースに対応するリソースに割り当てている第１の端末における前記参照信号の受信電力値と、前記第１のパターンにおける割当リソースに対応するリソースに割り当てている第２の端末における前記参照信号の受信電力値とに基づいて、前記第３の基地局において前記第３の基地局の存在するエリアの判定に用いる閾値を算出する算出部と、
前記算出した閾値を前記第３の基地局へ通知する通知部と、
を具備することを特徴とする基地局。
【請求項６】
第１のセルに対応する第１の基地局と、前記第１のセルを規定する第１のエリア内に存在し且つ前記第１のエリアよりも小さい第２のエリアによって規定される第２のセルに対応する第２の基地局と、前記第１のセルを規定する第１のエリア内に存在し且つ前記第２のエリアよりも小さい第３のエリアによって規定される第３のセルに対応する第３の基地局とを具備する通信システムにおける、前記第３の基地局でのリソース選択方法であって、
前記第１の基地局が前記第１の基地局と接続中の端末に対して割り当てない非割当リソースの第１のパターンに関する情報を取得し、
前記第３の基地局に接続中の端末に対して用いる非割当リソースのパターンとして、前記第１のパターンと、前記第１のパターンとの間で非割当リソースが重ならない第２のパターンとの中から、前記第３の基地局と前記第２の基地局との距離に応じたパターンを選択する、
ことを特徴とするリソース選択方法。
【発明の詳細な説明】
【技術分野】
【０００１】
本発明は、基地局及びリソース選択方法に関する。
【背景技術】
【０００２】
従来、通信システムにおける伝送容量（以下では、「システム容量」と呼ばれることがある）を増大させるために、様々な工夫がなされている。例えば、３ＧＰＰ  ＬＴＥ（3rd  Generation  Partnership  Project  Long  Term  Evolution）では、「マクロセル」の他に「ピコセル」を活用してシステム容量を増大させる技術に関する議論が行われている。ここで、「セル」は、１つの基地局の「通信エリア」と「チャネル周波数」とに基づいて規定される。「通信エリア」とは、基地局から送信された電波が到達するエリア（以下では、「射程エリア」と呼ばれることがある）の全体でもよいし、射程エリアが分割された分割エリア（所謂、セクタ）であってもよい。また、「チャネル周波数」とは、基地局が通信に使用する周波数の一単位であり、中心周波数と帯域幅とに基づいて規定される。また、チャネル周波数は、システム全体に割り当てられている「オペレーティング帯域」の一部である。そして、「マクロセル」は、高い送信電力で送信可能な基地局（マクロ基地局）、つまり射程エリアの大きい基地局のセルである。また、「ピコセル」は、低い送信電力で送信する基地局（ピコ基地局）、つまり射程エリアの小さい基地局のセルである。また、以上のように、送信電力及び種別の異なる複数の基地局が混在するネットワークは、「ヘテロジニアスネットワーク」と呼ばれることがある。【０００３】
ここで、ヘテロジニアスネットワークでは、例えば、マクロセルの端末がピコセルの端末に対して与える干渉が問題となることがある。この干渉を抑制するための技術として、例えば、ＩＣＩＣ（Inter-Cell  Interference  Coordination）という技術が提案されている。ＩＣＩＣでは、マクロ基地局は、自局に接続中の端末に対する割当を抑えたリソース（つまり、「非割当対象リソース」）を用意し、当該リソースにおいてピコ基地局に接続中の端末に対する干渉を低減する。例えば、ＩＣＩＣでは、マクロ基地局は、自局に接続中の端末に対してリソースを割り当てないサブフレーム（ＡＢＳ：Almost  Blank  Subframe）を用意し、当該サブフレームにおいてピコ基地局に接続中の端末に対する干渉を低減する。なお、マクロ基地局は、非割当対象リソースのパターン（つまり、「非割当対象リソースパターン」）に従って、非割当対象リソースを用意する。特に、ＡＢＳのパターンは、「ＡＢＳパターン」と呼ばれることがある。【０００４】
また、ヘテロジニアスネットワークには、「フェムト基地局」が含まれる場合がある。フェムト基地局のセル、つまり「フェムトセル」は、ピコセルよりもさらに小さい。また、フェムト基地局も、ピコセルの端末に対して与える干渉を低減するために、非割当対象リソースを用意する場合がある。例えば、フェムト基地局がピコ基地局の存在を検知した場合、フェムト基地局がマクロ基地局と同一のＡＢＳパターンを使用する技術が提案されている。
【先行技術文献】
【特許文献】
【０００５】
【特許文献１】国際公開第２０１２／０６３９３４号
【発明の概要】
【発明が解決しようとする課題】
【０００６】
ところで、ピコ基地局は、自局に接続中の複数の端末に対して、スケジューリング指標（つまり、スケジューリングメトリック）に従って、リソースを割り当てる。すなわち、ピコセルにおいて、複数の端末は、スケジューリング指標に基づいて相対的に比較されて、スケジューリングされる。【０００７】
このため、従来技術の様に、フェムトセルからピコセルに対する干渉を低減させるために、フェムト基地局の非割当対象リソースパターンをマクロ基地局のものと同一に固定しても、フェムトセルの端末からピコセルの端末に対する干渉を低減できない可能性がある。この結果として、フェムト基地局が非割当対象リソースを用意したとしても、システムのスループットが低下してしまう可能性がある。また、干渉の低減に寄与しない非割当対象リソースを用意することはリソースの無駄になるため、この観点からも、システムのスループットが低下してしまう可能性がある。【０００８】
開示の技術は、上記に鑑みてなされたものであって、スループットを向上させることができる、基地局及びリソース選択方法を提供することを目的とする。
【課題を解決するための手段】
【０００９】
開示の態様では、通信システムが、第１の基地局と、第２の基地局と、第３の基地局とを有する。第１の基地局は、第１のセルに対応する。第２の基地局は、第１のセルを規定する第１のエリア内に存在し且つ第１のエリアよりも小さい第２のエリアによって規定される第２のセルに対応する。第３の基地局は、第１のセルを規定する第１のエリア内に存在し且つ第２のエリアよりも小さい第３のエリアによって規定される第３のセルに対応する。そして、第３の基地局は、第１の基地局が第１の基地局と接続中の端末に対して割り当てない非割当リソースの第１のパターンに関する情報を取得する。そして、第３の基地局は、自局に接続中の端末に対して用いる非割当リソースのパターンとして、第１のパターンと、第１のパターンとの間で非割当リソースが重ならない第２のパターンとの中から、自局と第２の基地局との距離に応じたパターンを選択する。
【発明の効果】
【００１０】
開示の態様によれば、スループットを向上させることができる。
【図面の簡単な説明】
【００１１】
【図１】図１は、実施例１の通信システムの一例を示す図である。
【図２】図２は、実施例１の第３の基地局の一例を示すブロック図である。
【図３】図３は、実施例１の第２の基地局の一例を示すブロック図である。
【図４】図４は、実施例１の第１の基地局の一例を示すブロック図である。
【図５】図５は、実施例１の通信システムの処理動作の一例を示すシーケンス図である。
【図６】図６は、実施例１の第３の基地局の処理動作の一例を示すフローチャートである。
【図７】図７は、実施例２の第３の基地局の一例を示すブロック図である。
【図８】図８は、実施例２の第３の基地局の処理動作の一例を示すフローチャートである。
【図９】図９は、下り回線割当制御信号と上り回線リソースとの対応関係の説明に供する図である。
【図１０】図１０は、基地局のハードウェア構成を示す図である。
【発明を実施するための形態】
【００１２】
以下に、本願の開示する基地局及びリソース選択方法の実施形態を図面に基づいて詳細に説明する。なお、この実施形態により本願の開示する基地局及びリソース選択方法が限定されるものではない。また、実施形態において同一の機能を有する構成には同一の符号を付し、重複する説明は省略される。
【００１３】
［実施例１］
［通信システムの概要］
図１は、実施例１の通信システムの一例を示す図である。図１において、通信システム１は、基地局１０と、基地局３０と、基地局５０と、端末７０−１，２とを有する。なお、以下では、基地局１０、基地局３０、及び基地局５０をそれぞれ、「第３の基地局」、「第２の基地局」、及び「第１の基地局」と呼ぶことがある。図１において、セルＣ５０は、基地局５０の通信エリア（以下では、「第１の通信エリア」と呼ぶことがある）と第１のチャネル周波数によって規定される。また、セルＣ３０は、基地局３０の通信エリア（以下では、「第２の通信エリア」と呼ぶことがある）と第２のチャネル周波数によって規定される。また、セルＣ１０は、基地局１０の通信エリア（以下では、「第３の通信エリア」と呼ぶことがある）と第３のチャネル周波数によって規定される。そして、図１において、第２の通信エリア及び第３の通信エリアは、第１の通信エリアの中に存在している。また、図１において、第３の通信エリアは、第２の通信エリア内に存在している。すなわち、第１の通信エリアは、第２の通信エリア及び第３の通信エリアよりも大きく、第２の通信エリアは、第３の通信エリアよりも大きい。例えば、セルＣ５０は、マクロセルであり、セルＣ３０は、ピコセルであり、セルＣ１０は、フェムトセルである。すなわち、基地局５０は、マクロ基地局であり、基地局３０は、ピコ基地局であり、基地局１０は、フェムト基地局である。なお、図１においては、基地局１０、基地局３０、基地局５０の数をそれぞれ１つとし、端末７０の数を２つとしているが、これらの数はこれに限定されるものではない。また、図１では、基地局１０と接続中の端末７０及び基地局５０と接続中の端末７０の図示は省略している。
【００１４】
基地局１０は、基地局５０の非割当対象リソースパターン（以下では、「第１のパターン」と呼ぶことがある）を取得する。
【００１５】
そして、基地局１０は、自局の非割当対象リソースパターンとして、上記の第１のパターンと、当該第１のパターンとの間で非割当リソースが重ならない第２のパターンとの中から、自局と基地局３０との距離に応じたパターンを選択する。
【００１６】
具体的には、上記の第２の通信エリアは、「第１の部分エリア」と当該第１の部分エリアよりも基地局３０との距離が遠い「第２の部分エリア」とを含む。図１においては、部分エリアＰＡ３１が第１の部分エリアであり、部分エリアＰＡ３２が第２の部分エリアである。そして、基地局１０は、受信電力に基づいて、自局が第２の部分エリアに存在するか否かを判定する。そして、基地局１０は、自局が第２の部分エリアに存在する場合、第１のパターンを選択し、自局が第２の部分エリア以外のエリアに存在する場合、第２のパターンを選択する。図１に示す状況では、基地局１０は、部分エリアＰＡ３１に存在するので、自局の非割当対象リソースパターンとして、第２のパターンを選択する。
【００１７】
ここで、部分エリアＰＡ３２に存在する端末７０−２は、基地局３０のスケジューリングによって、部分エリアＰＡ３１に存在する端末７０−１よりも優先的に、第１のパターンにおける非割当対象リソースに対応するリソースに割り当てられる。従って、基地局１０が部分エリアＰＡ３２に存在する場合、つまり基地局１０が例えば端末７０−２に干渉を与えている場合、基地局１０が第１のパターンを選択することで、端末７０−２に与える干渉を効率的に低減することができる。一方、基地局１０が部分エリアＰＡ３１に存在する場合、つまり基地局１０が例えば端末７０−１に干渉を与えている場合、基地局１０が第１のパターンを選択しても端末７０−１に与える干渉を低減できない。これは、上記の様に、基地局３０のスケジューリングによって、端末７０−１には第１のパターンの非割当対象リソース以外のリソースが割り当てられる可能性が高いためである。このため、基地局１０が部分エリアＰＡ３１に存在する場合、つまり基地局１０が例えば端末７０−１に干渉を与えている場合、基地局１０は、第２のパターンを選択する。なお、基地局１０が第２の通信エリアを除く第１の通信エリア内に存在する場合、基地局１０は、自局の非割当対象リソースパターンとして、第２のパターンを選択する。
【００１８】
以上のように基地局１０が自局の位置に応じて非割当対象リソースパターンを選択することにより、基地局３０に接続中の端末７０に対する干渉を低減することができると共に、干渉の低減に寄与しない非割当対象リソースを低減することができる。この結果として、スループットを向上させることができる。
【００１９】
［第３の基地局の構成例］
図２は、実施例１の第３の基地局の一例を示すブロック図である。図２において、基地局１０は、無線受信部１１と、受信処理部１２と、分離部１３と、干渉ユーザ検出部１４と、受信電力測定部１５と、要求部１６と、ネットワークインタフェース（ＩＦ）１７とを有する。また、基地局１０は、取得部１８と、判定部１９と、パターン決定部２０と、スケジューラ２１と、送信処理部２２と、無線送信部２３とを有する。
【００２０】
無線受信部１１は、アンテナを介して受信した受信信号に対して所定の無線受信処理、つまりダウンコンバート、アナログディジタル変換等を施し、無線受信処理後の受信信号を受信処理部１２へ出力する。
【００２１】
受信処理部１２は、無線受信部１１から受け取った受信信号に対して所定の受信処理を施し、受信処理後の受信信号を分離部１３へ出力する。ここで、所定の受信処理は、復調処理及び復号処理を含む。また、受信信号がＯＦＤＭ（Orthogonal  Frequency  Division  Multiplexing）信号である場合、所定の受信処理は、高速フーリエ変換（ＦＦＴ：Fast  Fourier  Transform）処理を含む。
【００２２】
分離部１３は、受信処理部１２から受け取った受信信号から各種の信号及び情報を抽出し、対応する機能部へ出力する。例えば、分離部１３は、基地局１０に接続中の端末７０から報告されるチャネル品質情報（ＣＱＩ：Channel  Quality  Indicator）を受信信号から抽出し、スケジューラ２１へ出力する。また、分離部１３は、上り回線リソースの信号成分を受信信号から抽出し、干渉ユーザ検出部１４へ出力する。また、分離部１３は、基地局１０の周辺に位置する基地局（基地局３０及び基地局５０を含む）から送信された参照信号を受信信号から抽出し、受信電力測定部１５へ出力する。また、分離部１３は、受信信号から基地局１０宛ての受信データを抽出し、後段の機能部（図示せず）へ出力する。
【００２３】
干渉ユーザ検出部１４は、スケジューラ２１から基地局１０に接続中の端末７０の識別情報を取得する。そして、干渉ユーザ検出部１４は、基地局１０が干渉を与えている端末７０（つまり、干渉ユーザ）を検出する。例えば、干渉ユーザ検出部１４は、基地局１０に接続中の端末７０以外の基地局３０又は基地局５０に接続中の端末７０から送信された信号の受信電力が所定の閾値以上である場合、干渉ユーザが存在すると判定する。そして、干渉ユーザ検出部１４は、干渉ユーザを検出した場合、受信電力測定部１５に測定命令信号を出力する。
【００２４】
受信電力測定部１５は、干渉ユーザ検出部１４から測定命令信号を受け取ると、基地局１０の周辺に存在する基地局（基地局３０及び基地局５０を含む）から送信された参照信号の受信電力（つまり、ＲＳＲＰ：Reference  Signal  Received  Power）を測定する。そして、受信電力測定部１５は、各周辺基地局についての受信電力値と各周辺基地局の識別情報とを対応づけて要求部１６へ出力する。
【００２５】
要求部１６は、受信電力測定部１５で測定された受信電力値が複数のマクロ基地局の中で最大のマクロ基地局（ここでは、基地局５０）を特定すると共に、測定された受信電力値が複数のピコ基地局の中で最大のピコ基地局（ここでは、基地局３０）を特定する。そして、要求部１６は、受信電力値が最大のマクロ基地局である基地局５０に対して、基地局５０で用いられている非割当対象リソースパターンに関する情報を要求する第１の要求信号を形成する。また、要求部１６は、受信電力値が最大のピコ基地局である基地局３０に対して、上記の第１の部分エリアと第２の部分エリアとの判別に用いる「第１の閾値」に関する情報、及び、第２の部分エリアと第２の通信エリアを除く第１の通信エリアとの判別に用いる「ＣＲＥ（Cell  Range  Expansion）バイアス値」に関する情報を要求する第２の要求信号を形成する。そして、要求部１６は、ネットワークＩＦ１７を介して、第１の要求信号を基地局５０へ送信すると共に、第２の要求信号を基地局３０へ送信する。また、要求部１６は、基地局５０の受信電力値と基地局３０の受信電力値とを判定部１９へ出力する。
【００２６】
ネットワークＩＦ１７は、基地局３０及び基地局５０を含む他の基地局との間で信号を送受信するためのインタフェースである。
【００２７】
取得部１８は、基地局３０及び基地局５０を含む他の基地局から送信された信号を、ネットワークＩＦ１７を介して取得する。例えば、取得部１８は、上記の第１の要求信号に応じて基地局５０から送信された、非割当対象リソースパターンに関する情報を取得する。また、取得部１８は、上記の第２の要求信号に応じて基地局３０から送信された、第１の閾値に関する情報及びＣＲＥバイアス値に関する情報を取得する。そして、取得部１８は、取得した非割当対象リソースパターンに関する情報をパターン決定部２０へ出力する。また、取得部１８は、取得した第１の閾値に関する情報及びＣＲＥバイアス値に関する情報を判定部１９へ出力する。
【００２８】
判定部１９は、基地局１０が存在するエリアが、第１の部分エリア、第２の部分エリア、及び、第２の通信エリアを除く第１の通信エリアのいずれであるかを判定する。例えば、判定部１９は、基地局３０についての受信電力値と、基地局５０についての受信電力値と、第１の閾値と、ＣＲＥバイアス値とに基づいて、判定する。この「エリア判定処理」については、後に詳しく説明する。
【００２９】
パターン決定部２０は、基地局１０が用いる非割当対象リソースパターンを決定する。例えば、パターン決定部２０は、基地局１０の存在するエリアが第２の部分エリアである場合、基地局１０が用いる非割当対象リソースパターンとして、上記の第１のパターン（つまり、基地局５０で用いられているパターン）を選択する。また、パターン決定部２０は、基地局１０の存在するエリアが第２の部分エリア以外である場合、基地局１０が用いる非割当対象リソースパターンとして、上記の第２のパターンを選択する。そして、パターン決定部２０は、決定した非割当対象リソースパターンをスケジューラ２１へ通知する。
【００３０】
スケジューラ２１は、パターン決定部２０で決定された非割当対象リソースパターンと、分離部１３から受け取ったチャネル品質情報とに基づいて、割当対象である端末７０に対してリソースを割り当てる。具体的には、スケジューラ２１は、非割当対象リソースパターンに基づいて、割当対象リソースを特定し、特定した割当対象リソースを割当対象である端末７０に対して割り当てる。そして、スケジューラ２１は、割り当てたリソースに関する割当情報を送信処理部２２へ出力して、割当対象である端末７０へ割当情報を送信する。また、スケジューラ２１は、割当対象である端末７０に対して割り当てたリソースにその端末７０宛ての送信データをマッピングし、送信処理部２２へ出力する。
【００３１】
送信処理部２２は、送信データ、割当情報、及び参照信号を入力し、所定の送信処理を施して、無線送信部２３へ出力する。所定の送信処理は、符号化処理及び変調処理を含む。また、送信信号がＯＦＤＭ信号である場合、所定の送信処理は、逆高速フーリエ変換（ＩＦＦＴ：Inverse  Fast  Fourier  Transform）を含む。
【００３２】
無線送信部２３は、所定の送信処理後の送信信号に対して所定の無線送信処理、つまりディジタルアナログ変換、アップコンバート等を施し、無線送信処理後の送信信号をアンテナを介して送信する。
【００３３】
［第２の基地局の構成例］
図３は、実施例１の第２の基地局の一例を示すブロック図である。図３において、基地局３０は、無線受信部３１と、受信処理部３２と、分離部３３と、接続制御部３４と、閾値算出部３５と、通知生成部３６と、ネットワークＩＦ３７とを有する。また、基地局３０は、スケジューラ３８と、送信処理部３９と、無線送信部４０とを有する。
【００３４】
無線受信部３１は、アンテナを介して受信した受信信号に対して所定の無線受信処理、つまりダウンコンバート、アナログディジタル変換等を施し、無線受信処理後の受信信号を受信処理部３２へ出力する。
【００３５】
受信処理部３２は、無線受信部３１から受け取った受信信号に対して所定の受信処理を施し、受信処理後の受信信号を分離部３３へ出力する。ここで、所定の受信処理は、復調処理及び復号処理を含む。また、受信信号がＯＦＤＭ（Orthogonal  Frequency  Division  Multiplexing）信号である場合、所定の受信処理は、高速フーリエ変換（ＦＦＴ：Fast  Fourier  Transform）処理を含む。
【００３６】
分離部３３は、受信処理部３２から受け取った受信信号から各種の信号及び情報を抽出し、対応する機能部へ出力する。例えば、分離部３３は、第２の通信エリア内に存在する端末７０から報告される受信電力値を接続制御部３４及び閾値算出部３５へ出力する。この受信電力値は、基地局３０から送信された参照信号の端末７０における受信電力値である。また、分離部３３は、基地局３０に接続中の端末７０から報告されるチャネル品質情報（ＣＱＩ：Channel  Quality  Indicator）を受信信号から抽出し、スケジューラ３８へ出力する。また、分離部３３は、受信信号から基地局３０宛ての受信データを抽出し、後段の機能部（図示せず）へ出力する。
【００３７】
接続制御部３４は、第２の通信エリア内に存在する端末７０から報告された受信電力値と、ＣＲＥバイアス値とに基づいて、各端末７０を基地局３０に接続させるか否かを決定する。具体的には、接続制御部３４は、各端末７０における、基地局１０から送信された参照信号の受信電力値と、基地局３０から送信された参照信号の受信電力値にＣＲＥバイアス値を加算した加算値とを比較する。そして、接続制御部３４は、その加算値が基地局１０から送信された参照信号の受信電力値以上である場合、その端末７０を基地局３０に接続させる。基地局３０に接続している端末７０は、スケジューラ３８によるスケジューリングの対象となる。すなわち、ここでは、各端末７０における、基地局３０から送信された参照信号の受信電力値をＣＲＥバイアス値だけ底上げすることにより、基地局５０よりも基地局３０に、つまりマクロセルよりもピコセルに、各端末７０を接続し易くしている。換言すれば、ＣＲＥバイアス値の分だけピコセルを拡張して、各端末７０をピコセルに接続し易くしている。
【００３８】
また、接続制御部３４は、ＣＲＥバイアス値を通知生成部３６へ出力する。
【００３９】
閾値算出部３５は、上記の第１の閾値を算出する。例えば、閾値算出部３５は、スケジューラ３８から、上記の第１のパターンの非割当対象リソースに対応するリソースに割り当てられている端末７０の識別情報と、その割当対象リソースに対応するリソースに割り当てられている端末７０の識別情報とを取得する。この識別情報は、スケジューラ３８が上記の第２の要求信号を受け取ったときに、スケジューラ３８から出力される。そして、閾値算出部３５は、第１のパターンの非割当対象リソースに対応するリソースに割り当てられている端末７０の受信電力値の内の最大値を特定する。また、閾値算出部３５は、第１のパターンの割当対象リソースに対応するリソースに割り当てられている端末７０の受信電力値の内の最小値を特定する。そして、閾値算出部３５は、特定した最大値と最小値との平均値を算出する。この平均値は、上記の第１の閾値である。そして、閾値算出部３５は、算出した第１の閾値を通知生成部３６へ出力する。ここで、上記の第１の閾値は、上記の第１のパターンの非割当対象リソースに対応するリソースに割り当てられている端末７０と、その割当対象リソースに対応するリソースに割り当てられている端末７０とを判別する閾値である。換言すれば、上記の第１の閾値は、第１の部分エリアと第２の部分エリアとを判別する閾値である。
【００４０】
通知生成部３６は、閾値算出部３５から第１の閾値を受け取ると、当該第１の閾値と接続制御部３４から受け取ったＣＲＥバイアス値とを含む通知信号を生成する。そして、通知生成部３６は、生成した通知信号をネットワークＩＦ３７を介して基地局１０へ送信する。
【００４１】
ネットワークＩＦ３７は、基地局１０及び基地局５０を含む他の基地局との間で信号を送受信するためのインタフェースである。
【００４２】
スケジューラ３８は、基地局５０で用いられている非割当対象リソースパターンに関する情報を、ネットワークＩＦ３７を介して受け取る。そして、スケジューラ３８は、その非割当対象リソースパターンと、分離部３３から受け取ったチャネル品質情報とに基づいて、割当対象である端末７０に対してリソースを割り当てる。具体的には、スケジューラ３８は、割当対象の各端末７０のチャネル品質情報に応じて、その非割当対象リソースパターンの割当対象リソース又は非割当対象リソースのいずれかを割り当てる。そして、スケジューラ３８は、割り当てたリソースに関する割当情報を送信処理部３９へ出力して、割当対象である端末７０へ割当情報を送信する。また、スケジューラ３８は、割当対象である端末７０に対して割り当てたリソースにその端末７０宛ての送信データをマッピングし、送信処理部３９へ出力する。また、スケジューラ３８は、ネットワークＩＦ３７から第２の要求信号を受け取ると、第１のパターンの非割当対象リソースに対応するリソースに割り当てられている端末７０の識別情報を閾値算出部３５へ出力する。さらに、スケジューラ３８は、第１のパターンの割当対象リソースに対応するリソースに割り当てられている端末７０の識別情報も閾値算出部３５へ出力する。
【００４３】
送信処理部３９は、送信データ、割当情報、及び参照信号を入力し、所定の送信処理を施して、無線送信部４０へ出力する。所定の送信処理は、符号化処理及び変調処理を含む。また、送信信号がＯＦＤＭ信号である場合、所定の送信処理は、逆高速フーリエ変換を含む。
【００４４】
無線送信部４０は、所定の送信処理後の送信信号に対して所定の無線送信処理、つまりディジタルアナログ変換、アップコンバート等を施し、無線送信処理後の送信信号をアンテナを介して送信する。
【００４５】
［第１の基地局の構成例］
図４は、実施例１の第１の基地局の一例を示すブロック図である。図４において基地局５０は、無線受信部５１と、受信処理部５２と、分離部５３と、通知生成部５４と、ネットワークＩＦ５５とを有する。また、基地局５０は、スケジューラ５６と、送信処理部５７と、無線送信部５８とを有する。
【００４６】
無線受信部５１は、アンテナを介して受信した受信信号に対して所定の無線受信処理、つまりダウンコンバート、アナログディジタル変換等を施し、無線受信処理後の受信信号を受信処理部５２へ出力する。
【００４７】
受信処理部５２は、無線受信部５１から受け取った受信信号に対して所定の受信処理を施し、受信処理後の受信信号を分離部５３へ出力する。ここで、所定の受信処理は、復調処理及び復号処理を含む。また、受信信号がＯＦＤＭ（Orthogonal  Frequency  Division  Multiplexing）信号である場合、所定の受信処理は、高速フーリエ変換（ＦＦＴ：Fast  Fourier  Transform）処理を含む。
【００４８】
分離部５３は、受信処理部５２から受け取った受信信号から各種の信号及び情報を抽出し、対応する機能部へ出力する。例えば、分離部５３は、基地局５０に接続中の端末７０から報告されるチャネル品質情報（ＣＱＩ：Channel  Quality  Indicator）を受信信号から抽出し、スケジューラ５６へ出力する。また、分離部５３は、受信信号から基地局５０宛ての受信データを抽出し、後段の機能部（図示せず）へ出力する。
【００４９】
通知生成部５４は、基地局１０から送信された上記の第１の要求信号が受信されると、スケジューラ５６から非割当対象リソースパターンに関する情報を受け取る。そして、通知生成部５４は、非割当対象リソースパターンに関する情報を含む通知信号を生成する。そして、通知生成部５４は、生成した通知信号をネットワークＩＦ５５を介して基地局１０へ送信する。なお、通知生成部５４は、基地局３０に対しても非割当対象リソースパターンに関する情報を含む通知信号を送信する。
【００５０】
ネットワークＩＦ５５は、基地局１０及び基地局３０を含む他の基地局との間で信号を送受信するためのインタフェースである。
【００５１】
スケジューラ５６は、基地局５０の非割当対象リソースパターンと、分離部５３から受け取ったチャネル品質情報とに基づいて、割当対象である端末７０に対してリソースを割り当てる。具体的には、スケジューラ５６は、非割当対象リソースパターンに基づいて、割当対象リソースを特定し、特定した割当対象リソースを割当対象である端末７０に対して割り当てる。そして、スケジューラ５６は、割り当てたリソースに関する割当情報を送信処理部５７へ出力して、割当対象である端末７０へ割当情報を送信する。また、スケジューラ５６は、割当対象である端末７０に対して割り当てたリソースにその端末７０宛ての送信データをマッピングし、送信処理部５７へ出力する。
【００５２】
送信処理部５７は、送信データ、割当情報、及び参照信号を入力し、所定の送信処理を施して、無線送信部５８へ出力する。所定の送信処理は、符号化処理及び変調処理を含む。また、送信信号がＯＦＤＭ信号である場合、所定の送信処理は、逆高速フーリエ変換（ＩＦＦＴ：Inverse  Fast  Fourier  Transform）を含む。
【００５３】
無線送信部５８は、所定の送信処理後の送信信号に対して所定の無線送信処理、つまりディジタルアナログ変換、アップコンバート等を施し、無線送信処理後の送信信号をアンテナを介して送信する。
【００５４】
［通信システムの動作例］
以上の構成を有する通信システムの処理動作について説明する。図５は、実施例１の通信システムの処理動作の一例を示すシーケンス図である。図６は、実施例１の第３の基地局の処理動作の一例を示すフローチャートである。なお、以下では、非割当対象リソースパターンの一例としてＡＢＳパターンを用いて説明する。
【００５５】
基地局１０は、基地局１０が干渉を与えている端末７０（つまり、干渉ユーザ）を検出する（ステップＳ１０１）。
【００５６】
基地局１０は、干渉ユーザを検出すると、基地局１０の周辺に存在する基地局（基地局３０及び基地局５０を含む）から送信された参照信号の受信電力（つまり、ＲＳＲＰ）を測定する（ステップＳ１０２）。
【００５７】
基地局１０は、測定した受信電力値（つまり、下り回線受信電力）が複数のマクロ基地局の中で最大のマクロ基地局を特定すると共に、測定した受信電力値が複数のピコ基地局の中で最大のピコ基地局を特定する（ステップＳ１０３）。ここでは、基地局１０は、基地局５０及び基地局３０を特定する。
【００５８】
基地局１０は、受信電力値が最大のマクロ基地局である基地局５０に対して、上記の第１の要求信号を送信する（ステップＳ１０４）。
【００５９】
基地局５０は、第１の要求信号を受け取ると、自局で用いているＡＢＳパターンに関する情報を基地局１０へ送信する（ステップＳ１０５）。
【００６０】
基地局１０は、受信電力値が最大のピコ基地局である基地局３０に対して、上記の第２の要求信号を送信する（ステップＳ１０６）。
【００６１】
基地局３０は、第２の要求信号を受け取ると、上記の第１の閾値を算出する（ステップＳ１０７）。
【００６２】
基地局３０は、算出した第１の閾値及びＣＲＥバイアス値に関する情報を基地局１０へ送信する（ステップＳ１０８）。
【００６３】
基地局１０は、自局が存在するエリアを判定する（ステップＳ１０９）。すなわち、基地局１０は、基地局１０が存在するエリアが、第１の部分エリア、第２の部分エリア、及び、第２の通信エリアを除く第１の通信エリアのいずれであるかを判定する。このエリア判定は、基地局３０についての下り回線受信電力値と、基地局５０についての下り回線受信電力値と、第１の閾値と、ＣＲＥバイアス値とに基づいて行われる。
【００６４】
基地局１０は、自局が用いるＡＢＳパターンを決定する（ステップＳ１１０）。
【００６５】
次いで、基地局１０の処理動作の一例について、図６を参照して説明する。
【００６６】
基地局１０において干渉ユーザ検出部１４は、基地局１０が干渉を与えている端末７０（つまり、干渉ユーザ）を検出する（ステップＳ２０１）。このステップＳ２０１は、上記のステップＳ１０１に対応する。例えば、干渉ユーザ検出部１４は、基地局１０に接続中の端末７０以外の基地局３０又は基地局５０に接続中の端末７０から送信された信号の受信電力が所定の閾値以上である場合、干渉ユーザが存在すると判定する。
【００６７】
受信電力測定部１５は、基地局１０の周辺に存在する基地局（基地局３０及び基地局５０を含む）から送信された参照信号の受信電力（つまり、ＲＳＲＰ）を測定する（ステップＳ２０２）。このステップＳ２０２は、上記のステップＳ１０２に対応する。そして、受信電力測定部１５は、各周辺基地局についての下り回線受信電力値と各周辺基地局の識別情報とを対応づけて要求部１６へ出力する。
【００６８】
要求部１６は、受信電力測定部１５で測定された受信電力値が複数のマクロ基地局の中で最大のマクロ基地局を特定すると共に、測定された受信電力値が複数のピコ基地局の中で最大のピコ基地局を特定する（ステップＳ２０３）。ここでは、基地局１０は、基地局５０及び基地局３０を特定する。このステップＳ２０３は、上記のステップＳ１０３に対応する。
【００６９】
要求部１６は、受信電力値が最大のマクロ基地局である基地局５０に対して、上記の第１の要求信号を送信する（ステップＳ２０４）。このステップＳ２０４は、上記のステップＳ１０４に対応する。
【００７０】
取得部１８は、上記の第１の要求信号に応じて基地局５０から送信された、ＡＢＳパターン（つまり、第１のパターン）に関する情報を取得する（ステップＳ２０５）。
【００７１】
要求部１６は、受信電力値が最大のピコ基地局である基地局３０に対して、上記の第２の要求信号を送信する（ステップＳ２０６）。このステップＳ２０６は、上記のステップＳ１０６に対応する。
【００７２】
取得部１８は、上記の第２の要求信号に応じて基地局３０から送信された、第１の閾値に関する情報及びＣＲＥバイアス値に関する情報を取得する（ステップＳ２０７）。
【００７３】
判定部１９は、「エリア判定処理」を実行する。判定部１９は、基地局３０についての受信電力値（ＲＳＲＰＰ）と、基地局５０についての受信電力値（ＲＳＲＰＭ）と、第１の閾値（ＲＳＲＰＴ）と、ＣＲＥバイアス値（Ｂｉａｓ）とに基づいて、判定する。
【００７４】
具体的には、判定部１９は、ＲＳＲＰＭが（ＲＳＲＰＰ＋Ｂｉａｓ）よりも小さいか否かを判定する（ステップＳ２０８）。ＲＳＲＰＭが（ＲＳＲＰＰ＋Ｂｉａｓ）以上の場合（ステップＳ２０８否定）、判定部１９は、基地局１０が第２の通信エリアを除く第１の通信エリアに存在していると判定することができる。
【００７５】
また、判定部１９は、ＲＳＲＰＭが（ＲＳＲＰＰ＋Ｂｉａｓ）より小さい場合（ステップＳ２０８肯定）、ＲＳＲＰＰがＲＳＲＰＴより大きいか否かを判定する（ステップＳ２０９）。ＲＳＲＰＰがＲＳＲＰＴより大きい場合（ステップＳ２０９肯定）、判定部１９は、基地局１０が第１の部分エリアに存在していると判定することができる。また、ＲＳＲＰＰがＲＳＲＰＴ以下の場合（ステップＳ２０９否定）、判定部１９は、基地局１０が第２の部分エリアに存在していると判定することができる。
【００７６】
パターン決定部２０は、基地局１０が第２の部分エリアに存在する場合（ステップＳ２０８肯定且つステップＳ２０９否定）、基地局１０が用いるＡＢＳパターンとして、上記の第１のパターン（つまり、基地局５０のパターン）を選択する（ステップＳ２１２）。
【００７７】
一方、パターン決定部２０は、基地局１０が第２の部分エリア以外に存在する場合（ステップＳ２０８否定又はステップＳ２０９肯定）、基地局１０が用いるＡＢＳパターンとして、上記の第２のパターンを選択する（ステップＳ２１０、ステップＳ２１１）。
【００７８】
以上のように本実施例によれば、基地局１０においてパターン決定部２０は、自局に接続中の端末７０に対して用いる非割当対象リソースパターンとして、上記の第１のパターンと上記の第２のパターンとの中から、自局と基地局３０との距離に応じたパターンを選択する。上記の第１のパターンとは、基地局５０で用いられている非割当対象リソースパターンである。また、上記の第２のパターンとは、第１のパターンとの間で非割当対象リソースが重ならないパターンである。
【００７９】
この基地局１０の構成により、基地局１０が自局の位置に応じて非割当対象リソースパターンを選択するので、基地局３０又は基地局５０に接続中の端末７０に対する干渉を低減できると共に、干渉の低減に寄与しない非割当対象リソースを低減することができる。この結果として、スループットを向上させることができる。
【００８０】
具体的には、基地局１０において判定部１９は、下り回線受信電力に基づいて、基地局１０が第２の部分エリアに存在するか否かを判定する。そして、パターン決定部２０は、基地局１０が第２の部分エリアに存在する場合、上記の第１のパターンを選択し、基地局１０が第２の部分エリア以外のエリアに存在する場合、上記の第２のパターンを選択する。
【００８１】
この基地局１０の構成により、基地局３０によって第１のパターンの非割当対象リソースに割り当てられる可能性の高い端末７０へ干渉を与える位置、つまり第２の部分エリアに基地局１０が存在する場合に、基地局１０は第１のパターンを選択することができる。これにより、基地局１０の周辺に存在する端末７０への干渉を低減できると共に、干渉の低減に寄与しない非割当対象リソースを低減することができる。また、この基地局１０の構成により、基地局３０によって第１のパターンの割当対象リソースに割り当てられる可能性の高い端末７０へ干渉を与える位置、つまり第１の部分エリアに基地局１０が存在する場合に、基地局１０は第２のパターンを選択することができる。これにより、基地局１０の周辺に存在する端末７０への干渉を低減できると共に、干渉の低減に寄与しない非割当対象リソースを低減することができる。また、この基地局１０の構成により、基地局５０によって第１のパターンの割当対象リソースに割り当てられる端末７０へ干渉を与える位置に基地局１０が存在する場合に、基地局１０は第２のパターンを選択することができる。基地局５０によって第１のパターンの割当対象リソースに割り当てられる端末７０へ干渉を与える位置は、つまり、第２の通信エリアを除く第１の通信エリアである。これにより、基地局１０の周辺に存在する端末７０への干渉を低減できると共に、干渉の低減に寄与しない非割当対象リソースを低減することができる。
【００８２】
また、基地局１０において要求部１６は、上記の第１の閾値及びＣＲＥバイアス値に関する情報を要求する第２の要求信号を基地局３０へ送信する。さらに、要求部１６は、基地局５０で用いられている非割当対象リソースパターンに関する情報を要求する第１の要求信号を基地局５０へ送信する。
【００８３】
また、基地局３０において閾値算出部３５は、上記の第１の閾値を算出する。この第１の閾値は、第１のパターンの非割当対象リソースに対応するリソースに割り当てられている端末７０における受信電力値と、割当対象リソースに対応するリソースに割り当てられている端末７０における受信電力値とに基づいて、算出される。例えば、閾値算出部３５は、第１のパターンの非割当対象リソースに対応するリソースに割り当てられている端末７０の受信電力値の内の最大値を特定する。また、閾値算出部３５は、第１のパターンの割当対象リソースに対応するリソースに割り当てられている端末７０の受信電力値の内の最小値を特定する。そして、閾値算出部３５は、特定した最大値と最小値との平均値を算出することにより、上記の第１の閾値を算出する。
【００８４】
この基地局３０の構成により、上記の第１のパターンの非割当対象リソースに対応するリソースに割り当てられている端末７０と、その割当対象リソースに対応するリソースに割り当てられている端末７０とを判別する閾値を算出することができる。すなわち、上記の第１の部分エリアと第２の部分エリアとを判別する閾値を算出することができる。
【００８５】
［実施例２］
実施例１では、フェムト基地局は、マクロ基地局で用いられている非割当対象リソースパターンに関する情報をマクロ基地局から取得している。これに対して、実施例２では、フェムト基地局は、サブフレーム毎の下り回線受信電力に基づいて、非割当対象サブフレームと割当対象サブフレームとを含むマクロ基地局の非割当対象リソースパターン（つまり、ＡＢＳパターン）を推定（取得）する。
【００８６】
［第３の基地局の構成例］
図７は、実施例２の第３の基地局の一例を示すブロック図である。図７において、基地局１００は、パターン推定部１０１と、判定部１０２とを有する。
【００８７】
受信電力測定部１５は、サブフレーム毎の上り回線受信電力を測定し、パターン推定部１０１へ出力する。また、受信電力測定部１５は、サブフレーム毎の下り回線受信電力を測定し、判定部１０２へ出力する。
【００８８】
パターン推定部１０１は、受信電力測定部１５で測定された、サブフレーム毎の下り回線受信電力に基づいて、マクロ基地局である基地局５０のＡＢＳパターンを推定する。例えば、パターン推定部１０１は、複数のフレームに渡って、サブフレーム番号毎に下り回線受信電力を平均する。こうして得られた平均値をサブフレーム（番号）毎の下り回線受信電力とする。また、パターン推定部１０１は、複数のフレーム全体についての下り回線受信電力の平均値（以下では、単に「全体平均値」と呼ぶことがある）を算出する。そして、パターン推定部１０１は、或るサブフレームの下り回線受信電力が全体平均値より小さい場合、そのサブフレームをマクロ基地局５０のＡＢＳパターン（つまり、第１のパターン）におけるＡＢＳであると推定する。これにより、第１のパターンを推定することができる。つまり、パターン推定部１０１は、非割当対象リソースパターンの取得部に相当する。
【００８９】
判定部１０２は、パターン推定部１０１で推定された第１のパターンと、受信電力測定部１５で測定されたサブフレーム毎の上り回線受信電力と、下り回線割当制御信号と上り回線リソースとの「対応関係」とに基づいて、「エリア判定処理」を実行する。
【００９０】
具体的には、判定部１０２は、まず、推定された第１のパターンと、「対応関係」とに基づいて、第１のパターンに対応する「第１の上り送信サブフレームパターン」を特定する。「対応関係」は、例えば、下り回線制御チャネル（ＰＤＣＣＨ：Physical  Downlink  Control  Channel）が送信されたサブフレームの４つ後のサブフレームが上り回線共有チャネル（ＰＵＳＣＨ：Physical  Uplink  Shared  Channel）が送信されるサブフレームとなることを規定する。また、判定部１０２は、同様に、第２のパターンに対応する「第２の上り送信サブフレームパターン」を特定する。
【００９１】
そして、判定部１０２は、第１の上り送信サブフレームパターンの送信サブフレームにおける上り回線受信電力と、第２の上り送信サブフレームパターンの送信サブフレームにおける上り回線受信電力とに基づいて、基地局１００が存在するエリアを判定する。例えば、判定部１０２は、第１の上り送信サブフレームパターンの送信サブフレームでの上り回線受信電力が第２の上り送信サブフレームパターンの送信サブフレームでの上り回線受信電力よりも大きい場合、基地局１００が第２の部分エリアに存在すると判定できる。一方、判定部１０２は、第１の上り送信サブフレームパターンの送信サブフレームでの上り回線受信電力が第２の上り送信サブフレームパターンの送信サブフレームでの上り回線受信電力以下の場合、基地局１００が第２の部分エリア以外のエリアに存在すると判定できる。
【００９２】
パターン決定部２０は、基地局１００が用いる非割当対象リソースパターンを決定する。例えば、パターン決定部２０は、基地局１００の存在するエリアが第２の部分エリアである場合、基地局１００が用いる非割当対象リソースパターンとして、上記の第１のパターン（つまり、基地局５０で用いられているＡＢＳパターン）を選択する。また、パターン決定部２０は、基地局１００の存在するエリアが第２の部分エリア以外である場合、基地局１００が用いる非割当対象リソースパターンとして、上記の第２のパターンを選択する。そして、パターン決定部２０は、決定した非割当対象リソースパターンをスケジューラ２１へ通知する。
【００９３】
［第３の基地局の処理動作例］
以上の構成を有する基地局１００の処理動作の一例について説明する。図８は、実施例２の第３の基地局の処理動作の一例を示すフローチャートである。図９は、下り回線割当制御信号と上り回線リソースとの対応関係の説明に供する図である。
【００９４】
基地局１００においてパターン推定部１０１は、受信電力測定部１５で測定された、サブフレーム毎の下り回線受信電力に基づいて、マクロ基地局（つまり、基地局５０）のＡＢＳパターンを推定する（ステップＳ３０１）。
【００９５】
判定部１０２は、第１の上り送信サブフレームパターンの送信サブフレームにおける上り回線受信電力（ＩＡＢＳ１）を特定する（ステップＳ３０２）。また、判定部１０２は、第２の上り送信サブフレームパターンの送信サブフレームにおける上り回線受信電力（ＩＡＢＳ２）を特定する（ステップＳ３０３）。ここで、図９に示すように、基地局５０がサブフレーム＃１及びサブフレーム＃３をＡＢＳとするＡＢＳパターンを用いる場合、基地局５０は、サブフレーム＃２及びサブフレーム＃４でＰＤＣＣＨを送信する。そして、このＰＤＣＣＨを受信した端末７０は、このＰＤＣＣＨが送信されたサブフレームの４つ後のサブフレームでＰＵＳＣＨを送信する。従って、判定部１０２は、パターン推定部１０１で推定された基地局５０のＡＢＳパターンに基づいて、第１の上り送信サブフレームパターンを特定することができる。また、基地局５０がサブフレーム＃１及びサブフレーム＃３をＡＢＳとするＡＢＳパターンを用いる場合、上記の第２のパターンは、サブフレーム＃２及びサブフレーム＃４をＡＢＳとするＡＢＳパターンとなる。従って、判定部１０２は、パターン推定部１０１で推定された基地局５０のＡＢＳパターンに基づいて、第２の上り送信サブフレームパターンも特定することができる。
【００９６】
判定部１０２は、「エリア判定処理」を実行する。判定部１０２は、第１の上り送信サブフレームパターンの送信サブフレームにおける上り回線受信電力（ＩＡＢＳ１）と、第２の上り送信サブフレームパターンの送信サブフレームにおける上り回線受信電力（ＩＡＢＳ２）とに基づいて、判定する。
【００９７】
具体的には、判定部１０２は、ＩＡＢＳ１がＩＡＢＳ２より大きいか否かを判定する（ステップＳ３０４）。ＩＡＢＳ１がＩＡＢＳ２より大きい場合（ステップＳ３０４肯定）、判定部１０２は、基地局１００が第２の部分エリア以外のエリアに存在していると判定することができる。一方、ＩＡＢＳ１がＩＡＢＳ２以下の場合（ステップＳ３０４否定）、判定部１０２は、基地局１００が第２の部分エリアに存在していると判定することができる。このエリア判定処理は、次の理由により実行可能である。すなわち、ピコセルにおいて基地局５０のＡＢＳに対応するサブフレームには、第２の部分エリアに存在する端末７０が割り当てられる。つまり、サブフレーム＃２及びサブフレーム＃４には、第２の部分エリアに存在する端末７０宛てのＰＤＣＣＨがマッピングされる。このため、第２の部分エリアに存在する端末７０は、サブフレーム＃６及びサブフレーム＃８でＰＵＳＣＨを送信する。従って、ＩＡＢＳ２（つまり、サブフレーム＃６及びサブフレーム＃８での上り回線受信電力）がＩＡＢＳ１より大きい場合には、基地局１００が第２の部分エリアに存在する端末７０からの干渉をより大きく受けていると判定できる。すなわち、ＩＡＢＳ２（つまり、サブフレーム＃６及びサブフレーム＃８での上り回線受信電力）がＩＡＢＳ１より大きい場合には、基地局１００が第２の部分エリアに存在していると判定することができる。
【００９８】
パターン決定部２０は、基地局１００が第２の部分エリアに存在する場合（ステップＳ３０４否定）、基地局１００が用いるＡＢＳパターンとして、上記の第１のパターン（つまり、基地局５０のパターン）を選択する（ステップＳ３０５）。
【００９９】
一方、パターン決定部２０は、基地局１００が第２の部分エリア以外に存在する場合（ステップＳ３０４肯定）、基地局１００が用いるＡＢＳパターンとして、上記の第２のパターンを選択する（ステップＳ３０６）。
【０１００】
以上のように本実施例によれば、基地局１００においてパターン推定部１０１は、サブフレーム毎の下り回線受信電力に基づいて、基地局５０における第１のパターン（つまり、ＡＢＳパターン）を推定する。そして、判定部１０２は、基地局１００が第２の部分エリアに存在するか否かを判定する。このエリア判定は、上記の第１の上り送信サブフレームパターンの送信サブフレームにおける上り回線受信電力（ＩＡＢＳ１）と、第２の上り送信サブフレームパターンの送信サブフレームにおける上り回線受信電力（ＩＡＢＳ２）とに基づいて行われる。上記の第１の上り送信サブフレームパターンの送信サブフレームにおける上り回線受信電力（ＩＡＢＳ１）は、推定した第１のパターンの割当対象サブフレームから所定サブフレーム数だけ後のサブフレームにおける上り回線受信電力である。また、上記の第２の上り送信サブフレームパターンの送信サブフレームにおける上り回線受信電力（ＩＡＢＳ２）は、推定した第１のパターンの非割当対象サブフレームから所定サブフレーム数だけ後のサブフレームにおける上り回線受信電力である。
【０１０１】
この基地局１００の構成により、基地局５０からＡＢＳパターンに関する情報を受け取らなくても、そのＡＢＳパターンを推定することができる。そして、この推定したＡＢＳパターンと、サブフレーム毎の上り回線受信電力とに基づいて、基地局１００が第２の部分エリアに存在するか否かを判定することができる。
【０１０２】
［他の実施例］
実施例１及び実施例２で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１０３】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【０１０４】
実施例１及び実施例２の基地局は、次のようなハードウェア構成により実現することができる。
【０１０５】
図１０は、基地局のハードウェア構成を示す図である。図１０に示すように、基地局２００は、ＲＦ（Radio  Frequency）回路２０１と、プロセッサ２０２と、メモリ２０３と、ネットワークＩＦ（Inter  Face）２０４とを有する。プロセッサ２０２の一例としては、ＣＰＵ、ＤＳＰ（Digital  Signal  Processor）、ＦＰＧＡ（Field  Programmable  Gate  Array）等が挙げられる。また、メモリ２０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。実施例１及び実施例２で示した基地局１０，３０，５０，１００のそれぞれが、図１０に示すようなハードウェア構成を有している。
【０１０６】
そして、実施例１及び実施例２の基地局で行われる各種処理機能は、不揮発性記憶媒体などの各種メモリに格納されたプログラムを増幅装置が備えるプロセッサで実行することによって実現してもよい。
【０１０７】
すなわち、受信処理部１２と、分離部１３と、干渉ユーザ検出部１４と、受信電力測定部１５と、要求部１６と、取得部１８と、判定部１９と、パターン決定部２０と、スケジューラ２１と、送信処理部２２とによって実行される各処理に対応するプログラムがメモリ２０３に記録され、各プログラムがプロセッサ２０２で実行されてもよい。なお、無線受信部１１及び無線送信部２３は、ＲＦ回路２０１により実現される。また、ネットワークＩＦ１７は、ネットワークＩＦ２０４により実現される。
【０１０８】
また、受信処理部３２と、分離部３３と、接続制御部３４と、閾値算出部３５と、通知生成部３６と、スケジューラ３８と、送信処理部３９とによって実行される各処理に対応するプログラムがメモリ２０３に記録され、各プログラムがプロセッサ２０２で実行されてもよい。なお、無線受信部３１及び無線送信部４０は、ＲＦ回路２０１により実現される。また、ネットワークＩＦ３７は、ネットワークＩＦ２０４により実現される。
【０１０９】
また、受信処理部５２と、分離部５３と、通知生成部５４と、スケジューラ５６と、送信処理部５７とによって実行される各処理に対応するプログラムがメモリ２０３に記録され、各プログラムがプロセッサ２０２で実行されてもよい。なお、無線受信部５１及び無線送信部５８は、ＲＦ回路２０１により実現される。また、ネットワークＩＦ５５は、ネットワークＩＦ２０４により実現される。
【０１１０】
また、パターン推定部１０１と、判定部１０２とによって実行される各処理に対応するプログラムがメモリ２０３に記録され、各プログラムがプロセッサ２０２で実行されてもよい。
【０１１１】
なお、ここでは、基地局２００が一体の装置であるものとして説明したが、これに限定されない。例えば、基地局２００は、無線装置と制御装置という２つの別体の装置によって構成されてもよい。この場合、例えば、ＲＦ回路２０１は無線装置に配設され、プロセッサ２０２と、メモリ２０３と、ネットワークＩＦ２０４とは制御装置に配設される。
【符号の説明】
【０１１２】
１０，３０，５０，１００  基地局
１１，３１，５１  無線受信部
１２，３２，５２  受信処理部
１３，３３，５３  分離部
１４  干渉ユーザ検出部
１５  受信電力測定部
１６  要求部
１８  取得部
１９，１０２  判定部
２０  パターン決定部
２１，３８，５６  スケジューラ
２２，３９，５７  送信処理部
２３，４０，５８  無線送信部
３４  接続制御部
３５  閾値算出部
３６，５４  通知生成部
７０  端末
１０１  パターン推定部
【図１】
2015022735.tif 000003
【図２】
2015022735.tif 000004
【図３】
2015022735.tif 000005
【図４】
2015022735.tif 000006
【図５】
2015022735.tif 000007
【図６】
2015022735.tif 000008
【図７】
2015022735.tif 000009
【図８】
2015022735.tif 000010
【図９】
2015022735.tif 000011
【図１０】
2015022735.tif 000012
【国際調査報告】
2015022735.tif 000013
2015022735.tif 000014